【手続補正書】
【提出日】平成21年9月24日(2009.9.24)
【手続補正１】
【補正対象書類名】明細書
【補正対象項目名】全文
【補正方法】変更
【補正の内容】
【発明の詳細な説明】
【発明の名称】容器の蓋開閉補助帯
【技術分野】
【技術分野】
【０００１】  本発明は、容器本体にねじ締めされる蓋を有する瓶容器やプラスチック容器等の容器における蓋を容器本体に締め、或いは容器本体に締めた蓋を緩める際に使用される容器の蓋操作用補助具に関するものである。
【背景技術】
【背景技術】
【０００２】  ジュース，お茶，コーヒーなど飲料水の容器の場合には、こぼれ難く且つ飲みやすくするために、容器の口が小さくなっている。また、ジャム，蜂蜜，果実酒などのように糖分を多く含み、粘性のあるものは、最後まで無駄なく確実に取り出せるように容器の口が大きく形成されている。また、梅干や果実酒作成に用いる容器はかなり大きく形成されており口も広い。このように内容物によって、容器の蓋の大きさも大小様々である。力や握力の弱い女性，老人，子供等は、その開閉時にかなり苦労しているのが現状である。
特許文献には径の異なる二つの受容孔を備えた蓋操作用補助具や蓋を把持するための開閉材と挟持材とからなる蓋開閉補助具の文献等が出されている。【０００３】
【特許文献】（特許文献１  特開平１１−１１５９９３公報）（特許文献２  特開２００２−０６８３７７公報）（特許文献３  特開２００３−１３７３９３公報）（特許文献４  特開２００３−２００９９５公報）（特許文献５  実開平５−３１９９公報）これらの文献は、機械式とそれ以外のものに分かれている。機械式は構造上の制約で、使用できる蓋のサイズがある程度の限定されており、小さなものと広口のものを対応するには複数個準備するか、大きな装置を使用する必要がある。また、力や握力の弱い女性，老人，子供等持運びには不向きである。機械式以外の場合、手で補助具の上から蓋体を把握する使用法では、摩擦力しか利用できない。また受容孔のサイズにより用途によって複数個準備する必要もある。
【発明の開示】
【発明が解決しようとする課題】
【０００４】  本発明は、以上の実情に鑑み提案されたもので、容器本体に対して蓋を締め、或いは緩める開閉操作をする際、蓋の操作を容易に行い得る容器の蓋操作用補助具の提供を第１の目的とする。【０００５】  本発明は、飲用瓶から果実酒作成瓶等の径の異なる種々の蓋に対しても自在に適応できる容器の蓋操作用補助具の提供を第２の目的とする。【０００６】  本発明は、保管場所をとらず、持運ぶ際にも嵩張らず携帯可能となる容器の蓋操作用補助具の提供を第３の目的とする。
【課題を解決するための手段】
【０００７】容器の蓋操作補助帯は、一端に環を配して、一方の面に滑り止め材を備えた柔軟な帯として構成される。好ましくは、環を配している他端に、輪状部（４）を備え、滑り止め材を備えている帯の他方の面に、互いに係合するフック部とループ部の素子を備えるようにする。
本発明は、以上の構成からなる容器の蓋操作補助帯である。
【発明を実施するための形態】
【０００８】様々なサイズや形状の容器の蓋を、容易に開閉するためには、蓋の外周を確実に保持する必要がある。蓋を確実に保持するために、蓋の外周にピッタリと適合する柔軟性と、蓋に接する面の摩擦力と蓋を締め付ける力の強化が必要である。
以下、本発明の実施の形態について説明する。
（イ）  柔軟な帯（１）の一方の面に、摩擦力を強化するための滑り止め材（２）を径の異なる種々の蓋の外周面にピッタリ沿わせるため、帯の柔軟性を損なわない範囲で備える。図１、図２、図３ＡＢ、図４の（２）参照
（ロ）蓋の外周に帯（１）を巻きつけて締めるために、柔軟な帯（１）の一端に環（３）を配する。中央に支軸を備えている環を使用することもできる。図１、図２、図３ＡＢ、図４の（３）参照
本発明は、以上のような構成である。
これを使用するときは、環（３）に接続された柔軟な帯（１）の滑り止め材（２）側を容器の蓋（７）に密着させながら捲着する。図１参照
そして、帯（１）の環（３）に接続されていない端を環（３）に挿し通す。図１参照
帯の滑り止め材（２）を備えている側の他方の面にフック部（５）とループ部（６）の係合素子を設けている場合は、環（３）から帯（１）を折り返して、蓋（７）の外周を取り巻く部分の帯（１）と環（３）から折り返した帯（１）の係合素子をしっかり掛け合わせる。これにより、蓋（７）は、摩擦力と係合素子の係合力により締め付けられる。図４参照
帯（１）にフック部（５）とループ部（６）の係合素子を備えていない場合は、環（３）の中央に支軸があるものを使用して、一度、支軸に帯（１）をかけてから、帯（１）を折り返し、環（３）の縁で帯（１）を圧迫する力と、外周と折り返し部で二重になった部分の帯（１）に生じる摩擦力を利用して、蓋（７）を締め付ける力を強化することもできる。
そのあとで、環（３）に挿し通された帯（１）の端をそのまま掴んで引く。
この折り返した帯（１）を引くと、帯（１）が蓋を締め付ける力が強く加わり、かつ、滑り止め材（２）も蓋に押し付けられて、蓋を締め付ける力が、強化される。さらに、力を加えて帯（１）を引くと回転力も自然に加わり、大きな力を加えなくても容易に蓋が開いてしまう。しかし、握力が弱い人の場合は、帯（１）を握って引く力を、そのまま蓋に伝えることが離しい。そこで帯（１）を握る力が十分でない人が使用する場合に備えて、帯（１）の環（３）を配している他の端に、輪状部分（４）を設けておく。握力や指の力が弱い人は帯（１）の端に設けた輪状部（４）に指や手を通し入れてから帯（１）を引くと、引く力がロスなくそのまま伝わるため、蓋を簡単に開くことが出来る。図１参照
そうすると、次のような要領で、容器の蓋操作を容易に実行できるようになる。
従来から利用されているゴム帯のような滑り止め材（２）の摩擦力に加えて、蓋に捲着した帯（１）を環（３）で折り返して引くことにより、滑り止め材（２）と容器の蓋（７）を密着させ締め付ける力が発生する。また、係合素子の係合力も利用できる。
握力や指の力が弱い人も輪（４）に指や手を通し入れることで、力を逃がさず操作が可能になる。また、帯（１）の長さ分回転モーメント力をうまく利用することができる。
以上の力を利用することで容器の蓋操作を容易に行うことができるようになる。
【発明の効果】
【０００９】  従来のように、複雑な補助具を用いなくても、本発明の帯を蓋に締着させながら蓋を摺り動かすことで、摩擦係合力に加えて、締着力と回転モーメント力を利用し容器の蓋操作を容易に行うことができる。さらに、滑り止め材の裏面にフックとループの機能を備えた面ファスナーを設けた場合、締着力に加えて面ファスナーの掛着力も活用することができる。これにより子供や高齢者やつめの長い女性にとっても容易に第１の目的を達成できる。
自在にサイズ適応が可能なため、一つ所有するだけでこれまでのように容器のサイズと補助具の大きさの適合に悩むことがなくなった。これにより第２の目的を達成できる。
単純な構造であるため、大きさも嵩張らず、持ち運びにも便利で外出先に携帯しやすくなった。これにより第３の目的を達成できる。
【図面の簡単な説明】
【図１】  本発明による容器の蓋操作補助帯の使用状態を示した斜視図である。
【図２】  本発明による容器の蓋操作補助帯を示した斜視図である。
【図３】  Ａ本発明による容器の蓋操作補助帯の正面図である。Ｂ本発明による容器の蓋操作補助帯の側面図である。
【図４】  本発明による容器の蓋操作補助帯を示した斜視図である。
【符号の説明】１  帯
２  滑り止め材
３  環
４  輪状部
５  係合素子フック部
６  係合素子ループ部
７  容器の蓋
８  容器本体